(57)【特許請求の範囲】
【請求項１】
電力系統は電源変電所から各需要家までを環線で接続し、電源変電所端に配置する中央継電装置と各需要家端に配置する端末装置との間は１系と２系のループ伝送路で接続し、変電所側の中央継電装置と各端末装置で系統信号を同時サンプリングし、各端末装置で同時サンプリングした系統信号を時分割で多重化して中央継電装置にループ伝送し、中央継電装置は各端末装置からの系統信号を分離し、これら系統信号と変電所端での系統信号から保護演算を行い、必要に応じて各需要家端の機器操作信号を各端末装置にループ伝送する環線系統保護継電システムにおいて、
前記中央継電装置と各端末装置のサンプリング同期回路は、多重分離装置の伝送情報入出力部と共通にして通信ボードに搭載し、
前記中央継電装置の通信部と各端末装置の通信部の間で同期したサンプリング同期信号をそれぞれ生成し、このサンプリング同期信号を中央継電装置のリレー部および各端末装置のリレー部による系統信号のサンプリング同期信号とし、
前記中央継電装置の通信部がもつ親局としてのサンプリング同期回路は自走発振回路として動作し、前記各端末装置の通信部がもつサンプリング同期回路は従属同期回路として動作することをノードアドレスで切り替えるよう構成すると共に、
前記サンプリング同期回路は、
ループ伝送路の光−電気変換器（１，２）で変換した受信信号から１系と２系の分離インタフェース（２１、２２）が受信フレーム内のサンプリング同期用タイムスロットからサンプリング同期タイミング信号を抽出し、１系と２系の遅延測定回路（２３、２４）が１系と２系の伝送遅延（Ｔ１、Ｔ２）を測定し、遅延測定回路（２５）が１系と２系の伝送路から得られたサンプリング同期タイミング信号の伝送時間差（Ｔ３）を測定し、監視・設定回路（３）が伝送時間差（Ｔ３）からサンプリング同期点を演算して受信ＳＰタイミング回路（２６）に同期点を設定し、発振器（２７）とＤＰＬＬ（２８）と位相比較器（２９）との間で従属同期をとるサンプリング同期ロジック構成としたことを特徴とする環線系統保護継電システムのサンプリング同期回路。
【発明の詳細な説明】
【技術分野】
【０００１】
本発明は、環線系統を保護する環線系統の保護継電システムに係り、特に中央通信装置と複数の端末装置で計測される系統信号を同時サンプリングして多重伝送するサンプリング同期回路に関する。
【背景技術】
【０００２】
一般に、電力系統の保護継電システムは、コンピュータ資源を利用してシステムを構築し、保護対象となる電力系統から収集した系統電圧や系統電流などのディジタル情報を基にディジタル保護演算を行い、事故検出とその事故区間が特定されたときは事故区間に繋がる系統しゃ断器などを開放して事故区間を系統から切り離し、健全区間のみによる電力系統の円滑な運用を図る。
【０００３】
環線系統のディジタル保護継電システムの例を、図４に電力系統と保護継電システムの概略構成で示す。同図において、電力系統は変電所ＳＳから各需要家Ｄ１〜Ｄ３までの線路接続を環線構成とし、線路に系統事故などが発生した場合にその区間を切り離し、残りの健全区間には迂回路（変電所からみて時計方向と反時計方向の線路）を通して需要家への給電路を確保可能とする。
【０００４】
保護継電システムは、変電所側に設けた中央通信装置ＭＳと、各需要家側に設けた複数の端末装置ＲＳ１、ＲＳ２、ＲＳ３との間を１系と２系の二重化ループ伝送路で結合し、需要家側の各端末装置ＲＳ１〜ＲＳ３が同時サンプリングで収集したデータを時分割で多重化して１系伝送路と２系伝送路を通して中央通信装置ＭＳに伝送し、中央通信装置ＭＳは受信した多重化データを需要家別に分離し、この情報と変電所ＳＳ側で同時サンプリングで収集したデータを利用して中央継電装置ＭＲが保護演算を行い、この保護演算で事故発生を検出したときには事故発生した需要家を環線系統から切り離す制御情報を含めた多重情報を中央通信装置ＭＳが伝送し、各需要家の各端末装置ＲＳ１〜ＲＳ３は中央通信装置ＭＳから伝送されてくる多重情報から自局宛の機器制御情報を分離抽出し、当該端末装置では当該需要家をそのしゃ断器のトリップで環線系統から取り除き、電力系統の運用を継続可能にする。
【０００５】
この保護継電システムにおける中央通信装置ＭＳと各端末装置ＲＳ１〜ＲＳ３間の情報伝送には、複数の情報を時分割で多重化して伝送する多重情報伝送が行われる。また、保護継電システムの性質から、多重情報伝送処理を実現するため、実時間処理、サイクリック伝送、同時サンプリングのための同期化等が施される。
【０００６】
上記の中央通信装置ＭＳと各端末装置ＲＳ１〜ＲＳ３間の多重情報伝送は、図５にフレーム構成の例を示すように、所定のサイクル構成，フレーム構成及びワード構成の伝送フォーマット化処理と、伝送速度等に基づいた送受信処理と、各種インタフェースによる多重分離を行うが、これら信号処理が保護系統構成に応じて個別に設計，製作されるため系統構成の変更や新設の都度装置の設計等が必要となる。
【０００７】
この対処法として、中央通信装置ＭＳと複数の端末装置ＲＳ１〜ＲＳ３間での情報の多重伝送に、送受信情報の多重分離をバス上の送受信タイミング信号により行うことにより、多重情報伝送処理のための装置設計，変更を容易にした多重情報伝送処理装置がある（例えば、特許文献１参照）。
【０００８】
中央継電装置及び各端末装置で計測される系統信号の同時サンプリング方法としては、中央継電装置に接続する中央通信装置から１系と２系のループ伝送路に対してサンプリング同期化のための送信タイミングで信号を発信し、前記発信信号が前記１系と２系のループ回線に接続された各端末装置を経て一巡し、それぞれ中央通信装置に到達するまでに必要な右回り遅延時間Ｔ1と左回り遅延時間Ｔ2とを求め、遅延時間がＴ1＝Ｔ2時には（Ｔ1＋Ｔ2）／４の時間だけ、かつ折り返し伝送になるＴ1≠Ｔ2時にはＴ1／２，Ｔ2／２の時間だけそれぞれ同期すべきタイミングより前の時刻に調整したタイミングで１系と２系のループ回線に中央通信装置から夫々サンプリング同期用タイミング信号を送出し、各端末装置は前記１系のループ回線を通して受信したサンプリング同期用タイミング信号と２系のループ回線を通して受信したサンプリング同期用タイミングとの受信タイミングの中間時刻を同時サンプリングタイミングとする方法がある（例えば、特許文献２参照）。
【先行技術文献】
【特許文献】
【０００９】
【特許文献１】特許２６８９５０８「ディジタル保護継電システムの多重情報伝送処理装置」
【特許文献２】特許２６８９５０６「ディジタル保護継電装置のサンプリング同期方法」
【発明の概要】
【発明が解決しようとする課題】
【００１０】
環線系統の保護継電システムにおける従来のサンプリング同期方法は、保護と通信の責務から、それぞれを分割して処理をしていた関係から、通信部でのサンプリング同期およびリレー部でのサンプリング同期が必要となっていた。特許文献２では、このサンプリング同期について提案しているが、実際のシステムでは、図４中に示すように、中央通信装置ＭＳと端末装置ＲＳの通信部ＴＲでのサンプリング同期ＳＡ１と、端末装置ＲＳのリレー部ＲＹでのサンプリング同期ＳＡ２という二段方式となっており、冗長であった。
【００１１】
本発明の目的は、中央継電装置と各端末装置で計測される系統信号を同時サンプリングする回路を一段構成で効率的なサンプリング同期をしながら、多重分離装置と統合、集約した設計を容易にした環線系統保護継電システムのサンプリング同期回路を提供することにある。
【課題を解決するための手段】
【００１２】
本発明は、前記の課題を解決するため、中央継電装置の通信部と各端末装置の通信部の間で同期したサンプリング同期信号をそれぞれ生成し、このサンプリング同期信号を中央継電装置のリレー部および各端末装置のリレー部による系統信号のサンプリング同期信号とし、中央継電装置の通信部がもつ親局としてのサンプリング同期回路は自走発振回路として動作し、前記各端末装置の通信部がもつサンプリング同期回路は従属同期回路として動作する構成としたもので、以下の構成を特徴とする。
【００１３】
電力系統は電源変電所から各需要家までを環線で接続し、電源変電所端に配置する中央継電装置と各需要家端に配置する端末装置との間は１系と２系のループ伝送路で接続し、変電所側の中央継電装置と各端末装置で系統信号を同時サンプリングし、各端末装置で同時サンプリングした系統信号を時分割で多重化して中央継電装置にループ伝送し、中央継電装置は各端末装置からの系統信号を分離し、これら系統信号と変電所端での系統信号から保護演算を行い、必要に応じて各需要家端の機器操作信号を各端末装置にループ伝送する環線系統保護継電システムにおいて、
前記中央継電装置と各端末装置のサンプリング同期回路は、多重分離装置の伝送情報入出力部と共通にして通信ボードに搭載し、
前記中央継電装置の通信部と各端末装置の通信部の間で同期したサンプリング同期信号をそれぞれ生成し、このサンプリング同期信号を中央継電装置のリレー部および各端末装置のリレー部による系統信号のサンプリング同期信号とし、
前記中央継電装置の通信部がもつ親局としてのサンプリング同期回路は自走発振回路として動作し、前記各端末装置の通信部がもつサンプリング同期回路は従属同期回路として動作することをノードアドレスで切り替えるよう構成すると共に、
前記サンプリング同期回路は、
ループ伝送路の光−電気変換器（１，２）で変換した受信信号から１系と２系の分離インタフェース（２１、２２）が受信フレーム内のサンプリング同期用タイムスロットからサンプリング同期タイミング信号を抽出し、１系と２系の遅延測定回路（２３、２４）が１系と２系の伝送遅延（Ｔ１、Ｔ２）を測定し、遅延測定回路（２５）が１系と２系の伝送路から得られたサンプリング同期タイミング信号の伝送時間差（Ｔ３）を測定し、監視・設定回路（３）が伝送時間差（Ｔ３）からサンプリング同期点を演算して受信ＳＰタイミング回路（２６）に同期点を設定し、発振器（２７）とＤＰＬＬ（２８）と位相比較器（２９）との間で従属同期をとるサンプリング同期ロジック構成としたことを特徴とする。
【発明の効果】
【００１５】
以上のとおり、本発明によれば、中央継電装置の通信部と各端末装置の通信部の間で同期したサンプリング同期信号をそれぞれ生成し、このサンプリング同期信号を中央継電装置のリレー部および各端末装置のリレー部による系統信号のサンプリング同期信号とし、中央継電装置の通信部がもつ親局としてのサンプリング同期回路は自走発振回路として動作し、前記各端末装置の通信部がもつサンプリング同期回路は従属同期回路として動作する構成としたため、中央継電装置と各端末装置で計測される系統信号を同時サンプリングする回路を一段構成で効率的なサンプリング同期をしながら、多重化情報伝送装置と統合、集約した設計が容易になる。
【図面の簡単な説明】
【００１６】
【図１】従来と本発明におけるサンプリング同期回路のブロック構成図。
【図２】実施形態の電力系統と保護継電システムの概略構成図。
【図３】実施形態のサンプリング同期回路図。
【図４】従来の電力系統と保護継電システムの概略構成図。
【図５】多重情報伝送におけるフレームの構成例。
【発明を実施するための形態】
【００１７】
（１）サンプリング同期回路のブロック構成
図１は、従来と本発明におけるサンプリング同期回路のブロック構成を示す。図４で説明するように、従来、中央通信装置ＭＳと端末装置ＲＳにおけるサンプリング同期には、２つのサンプリング同期回路で構成されていた。すなわち、サンプリング同期ＳＡ１では１系と２系の伝送路上の情報に対して中央通信装置ＭＳと端末装置ＲＳの通信部ＴＲにおいてサンプリング同期を得ている。一方、サンプリング同期ＳＡ２は、中央継電装置ＭＲで取り込む計測情報のサンプリング同期と、端末装置ＲＳのリレー部ＲＹで取り込む計測情報のサンプリング同期を得ている。
【００１８】
本実施形態におけるサンプリング同期ロジックは、伝送路上の通信情報のサンプリングと、変電所ＳＳおよびリレー部ＲＹでの計測情報のサンプリングという境を無くし一体化することで、図２のように、中央通信装置を中央継電装置と一体構成とし、中央継電装置ＭＲのサンプリング同期回路（親局モード）と端末装置ＲＳのサンプリング同期回路（端末局モード）として共通化して後述の多重情報伝送装置に集約可能とする。
【００１９】
従来のサンプリング同期は、図１の（ａ）に示すように、中央通信装置ＭＳの通信部ＴＲと端末装置ＲＳの通信部ＴＲとの間のサンプリング同期信号と、中央通信装置ＭＳのリレー部ＲＹと端末装置ＲＳのリレー部ＲＹによるサンプリング同期信号を分離して管理していた。すなわち、中央通信装置ＭＳと端末装置ＲＳの通信部ＴＲで同期をとり、その結果の同期信号（ＳＰ同期信号）を中央継電装置および端末装置のリレー部ＲＹに渡して再度同期を取っていた。
【００２０】
本実施形態は、図１の（ｂ）に示すように、上記の通信部ＴＲとリレー部ＲＹとの別れた情報管理を撤廃して一体化することで、より効率的なサンプリング同期を実現するものである。これにより、通信部のサンプリング同期１回路とリレー部のサンプリング同期２回路に別れていた２つのＤＰＬＬ（ディジタルＰＬＬ）回路が１つに削減される。この結果、プリント板枚数が削減され、多重情報伝送装置と同一ＦＰＧＡに統合されることで、機能が集約される。さらに、通信として必要な機能を多重情報伝送装置と合わせることで、ＩＣにワンチップ化できる。
【００２１】
また、中央継電装置の通信部がもつサンプリング同期の親局機能は、自走発振回路として動作し、端末装置の通信部は従属同期回路として動作することを、一義的に「ノードアドレス」で切り替えられるように設計されることで、回路設計を容易にする。
【００２２】
（２）サンプリング同期ロジック
図３は、本実施形態によるサンプリング同期回路の構成図であり、多重分離装置１００の伝送情報入出力部と共通にして通信ボード３００に搭載される。２００は中央継電装置ＭＲまたは端末装置のリレー部ＲＹになる継電装置である。
【００２３】
サンプリング同期回路の説明の前に、多重分離装置１００の概略構成を説明する。多重分離装置１００は、中央通信装置ＭＳ、または端末装置ＲＳ（ＲＳ１〜ＲＳ３）の通信部ＴＲに搭載され、図２の１系と２系のループ伝送路を通した多重情報伝送機能と、継電装置２００との間で回線情報や監視情報などを多重／分離して授受する機能を集約して高集積化する。
【００２４】
多重分離装置１００は、伝送路との情報入出力手段として、１系の光−電気変換器（Ｏ／Ｅ）と２系の光−電気変換器（Ｏ／Ｅ）が接続され、これら光−電気変換器からの電気信号（１系のＤＡＴＡ１，ＥＣＬＫ１，２系のＤＡＴＡ２，ＥＣＬＫ２）が入力される。同様に、１系の電気−光変換器（Ｅ／Ｏ）と２系の電気−光変換器（Ｅ／Ｏ）が接続され、これら電気−光変換器からの光信号（１系のＤＡＴＡ１，ＥＣＬＫ１，２系のＤＡＴＡ２，ＥＣＬＫ２）が光伝送路に出力される。
【００２５】
また、多重分離装置１００には、中央継電装置ＭＲまたはリレー部ＲＹとの間で多重・分離した各個別の情報の入出力手段を備える。また、多重分離装置１００を搭載する通信ボード３００には、多重分離装置１００とリレー部ＲＹ２００との間の情報授受を管理する。
【００２６】
次に、図３に示すサンプリング同期回路を説明する。図３において、伝送路を通したＯ／Ｅからの信号は、多重分離装置１００中の１系受信インタフェース１から１系分離インタフェース２１にて、図５に示すフレーム内のサンプリング同期用タイムスロット（ＳＰ）からサンプリング同期タイミング信号を抽出する。同様に、２系受信インタフェース２から２系分離インタフェース２２にて、フレーム内のサンプリング同期用タイムスロットからサンプリング同期タイミング信号を抽出する。この動作は、サンプリング信号は、特許文献２で記載されているように、例えば５０ＨｚのようなＳＰ同期信号と呼ばれる信号であり、この信号を１９２ＫＨｚの多点サンプリング回線を使用して、Ｓ／Ｐ、Ｐ／Ｓ変換する。Ｓ／Ｐ、Ｐ／Ｓ変換することで、中央継電装置と端末装置間でＳＰ同期信号を授受して同時性を示す同期点を求める。
【００２７】
中央継電装置（親局、マスター局）としての動作では、特許文献２に記載するように、１系ＳＰ送信タイミング回路（１０）で発生させたタイミングで１系の伝送遅延Ｔ１を１系遅延測定回路２３で測定して、監視・設定回路３のＣＰＵがバス経由で処理を行う。同様に、２系ＳＰ送信タイミング回路１１で発生させたタイミングで２系の伝送遅延Ｔ２を２系遅延測定回路２４で測定して、監視・設定回路３のＣＰＵがバス経由で処理を行う。
【００２８】
端末装置（子局、スレーブ局）としての動作では、１系と２系の伝送路から得られたＳＰ同期信号の伝送時間差Ｔ３を遅延測定回路２５で測定し、この伝送時間差Ｔ３を監視・設定回路３のＣＰＵが（Ｔ３／２）の演算処理により受信ＳＰタイミング回路２６にサンプリング同期点を設定することで、発振器２７とＤＰＬＬ２８と位相比較器２９との間で、従属同期をとる。その従属同期した信号を元に、逓倍回路３０で、必要な周波数成分を作成して端末装置ＲＳのリレー部ＲＹで計測情報の同期したサンプリング信号（ＳＰ同期信号）に使用する。
【００２９】
これらの機能を多重分離装置１００を構成するＩＣの中に集約することで、装置の小型化、低消費電力化を図る。
【００３０】
なお、端末装置側でサンプリング信号（ＳＰ同期信号）で同時サンプリングした計測データは、多重分離装置１００の送信タイミング回路９で送信タイミングが生成され、この送信タイミングで１系多重インタフェース１０と２系多重インタフェース１１で多重化し、１系送信選択回路１３と２系送信選択回路１４および１系送信インタフェース１５と２系送信インタフェース１６を経て伝送される。
【００３１】
以上のように、中央継電装置と各端末装置で計測される系統信号の同時サンプリングは、サンプリング同期をとるための１系送受信回路と２系送受信回路とＤＰＬＬ（ディジタルＰＬＬ）回路と、その結果必要とするタイミング信号を生成する回路を多重分離装置１００と同じにＩＣ化してその集積化を図ると共に通信ボード３００に一体に実装できる。
【００３２】
したがって、中央継電装置のサンプリング同期回路（親局モード）と端末装置のサンプリング同期回路（端末局モード）として共通化してＦＰＧＡに集約し、中央継電装置と端末装置では通信部のサンプリング同期１回路とリレー部のサンプリング同期２回路に別れていた２つのＤＰＬＬ回路が１つに削減され、プリント板枚数を削減して効率的なサンプリング同期ができる。さらに、通信として必要な機能が多重分離装置１００と統合、集約した設計ができ、ＩＣにワンチップ化もできる。さらに、サンプリング同期の親局機能は、自走発振回路として動作し、端末側はスレーブ側であり従属同期回路して動作することを、一義的に「ノードアドレス」で切り替えられるように設計されることで、設計が容易となる。
【符号の説明】
【００３３】
１００  多重分離装置
２００  リレー部
３００  通信ボード
３  監視・設定回路
９  送信タイミング回路
１０、１１  多重インタフェース
１３，１４  送信選択回路
１５，１６  送信インタフェース
２１，２２  分離インタフェース（Ｓ／Ｐ、Ｐ／Ｓ）
２３、２４  遅延測定回路
２５  遅延測定回路
２６  受信ＳＰタイミング回路
２７  発振器
２８  ＤＰＬＬ
２９  位相比較器
３０  逓倍回路
【図１】
0005895512.tif 000002
【図２】
0005895512.tif 000003
【図３】
0005895512.tif 000004
【図４】
0005895512.tif 000005
【図５】
0005895512.tif 000006